(57)【要約】【課題】ユーザビリティを維持しながら消費電力を抑える。【解決手段】スタンバイ状態よりも消費電力が少ないスリープ状態において、第１制御部２１２は、人感センサモードが有効の場合はセンサ群２２０の全てを非通電状態とする一方、人感センサモードが無効の場合はセンサ群２２０の全てを通電状態とする。スリープ状態において、人感センサ２２５またはセンサ群２２０のうち通電されているものによって復帰要因の発生が検知されると、装置状態がスタンバイ状態へと移行する。【選択図】図５
2019005936.tif 000002
【特許請求の範囲】
【請求項１】
用紙に画像形成を行う画像形成手段と、
通電状態において、特定の事象を検知する第１の検知手段と、
通電状態において、前記特定の事象は別の特定の事象を検知する第２の検知手段と、
前記画像形成手段による画像形成に必要な所定の負荷への電力供給が可能な第１の電力状態よりも消費電力が少なく、前記所定の負荷への電力供給が不能な第２の電力状態において、前記第１の検知手段と前記第２の検知手段とを排他的に通電状態とし、前記第１の検知手段及び前記第２の検知手段のうち通電されている検知手段が、対応する特定の事象を検知すると、前記第１の電力状態へ移行させる制御手段と、を有することを特徴とする画像形成装置。
【請求項２】
前記制御手段は、前記第１の電力状態においては前記第１の検知手段の状態に拘わらず前記第２の検知手段を通電状態とすることを特徴とする請求項１に記載の画像形成装置。
【請求項３】
前記第１の検知手段による検知に応じて前記第１の電力状態へ移行させる第１の機能を有効にするか無効するかを設定する設定手段を有し、
前記制御手段は、前記第２の電力状態においては、前記第１の機能が有効であれば前記第１の検知手段を通電状態とすると共に前記第２の検知手段を非通電状態とし、前記第１の機能が無効であれば前記第１の検知手段を非通電状態とすると共に前記第２の検知手段を通電状態とすることを特徴とする請求項１または２に記載の画像形成装置。
【請求項４】
前記第１の機能を有効にするか無効するかを設定するための設定画面を表示する表示部を有することを特徴とする請求項３に記載の画像形成装置。
【請求項５】
前記第１の検知手段は、前記特定の事象として、前記画像形成装置の周辺に人が存在することを検知することを特徴とする請求項１〜４のいずれか１項に記載の画像形成装置。
【請求項６】
前記第２の検知手段は、前記別の特定の事象として、画像形成を実行する前に行うユーザの操作を検知することを特徴とする請求項１〜５のいずれか１項に記載の画像形成装置。
【請求項７】
用紙が積載される手差しトレイを有し、
前記第２の検知手段は、前記ユーザの操作として、前記手差しトレイに用紙が載置されたことを検知することを特徴とする請求項６に記載の画像形成装置。
【請求項８】
原稿の画像を読み取る読取手段と、
前記読取手段により読み取られるべき原稿が載置される原稿トレイを含み、前記原稿トレイに載置された原稿を読取位置へ搬送する原稿搬送手段と、を有し、
前記第２の検知手段は、前記ユーザの操作として、前記原稿トレイに原稿が載置されたことを検知することを特徴とする請求項６に記載の画像形成装置。
【請求項９】
原稿が載置されるプラテンガラスと、
前記プラテンガラスに載置された原稿を押圧する圧板と、を有し、
前記第２の検知手段は、前記ユーザの操作として、前記圧板の開または閉の操作があったことを検知することを特徴とする請求項６に記載の画像形成装置。
【請求項１０】
前記制御手段は、前記第１の電力状態において、前記第１の検知手段及び前記第２の検知手段のうち通電されている検知手段のいずれもが、対応する特定の事象を所定時間継続して検知しないと、前記第２の電力状態へ移行させることを特徴とする請求項１〜９のいずれか１項に記載の画像形成装置。
【請求項１１】
前記第１の検知手段及び前記第２の検知手段は、商用電源が接続されている場合に常に電圧を出力する電源に接続されていることを特徴とする請求項１〜１０のいずれか１項に記載の画像形成装置。
【請求項１２】
前記制御手段へ電力を供給する第１の電源と、
前記所定の負荷へ電力を供給する第２の電源と、を有し、
前記第１の電力状態では前記第１の電源及び前記第２の電源が起動しており、前記第２の電力状態では前記第１の電源が起動しており、前記第２の電源は起動していないことを特徴とする請求項１〜１１のいずれか１項に記載の画像形成装置。
【発明の詳細な説明】
【技術分野】
【０００１】
本発明は、複数の電力状態を有する画像形成装置に関する。
【背景技術】
【０００２】
従来、電源供給元として第１電源及び夜第２電源を有し、複数の電力状態をとり得る画像形成装置が知られている。第１電源は、交流電源が接続されている場合に常に出力電圧を供給する。一方、第２電源は、第１電源で動作するＣＰＵ等による制御に従って起動・停止が可能である。第１電源にはＣＰＵや画像形成装置の制御を行う素子が接続され、これらの素子には常時、電力が供給される。第２電源にはプリント動作時に必要なアクチュエータ等の駆動源等が接続され、プリント動作等を行っていないタイミングでは省電力を目的として第２電源の出力が停止される。
【０００３】
画像形成装置においては例えば、大別して、第２電源の出力が停止している省電力状態と第２電源の出力が起動しているスタンバイ状態の２つの電力状態がある。画像形成装置には、手差しトレイに記録紙を置いたときに、省電力状態からスタンバイ状態へ遷移するものが知られている（特許文献１）。この装置は、ユーザが操作画面でコピー指示するに先だってスタンバイ状態に遷移することで、ユーザの待ち時間を減らし、ユーザビリティを向上させることができる。
【先行技術文献】
【特許文献】
【０００４】
【特許文献１】特開２０１５−７７７１４号公報
【発明の概要】
【発明が解決しようとする課題】
【０００５】
また、ユーザビリティ向上のため、自動原稿送り装置に原稿が置かれたこと、画像形成装置のドアやリーダ部が開閉されたこと、あるいは、装置本体の近くに人の存在を検知したことに応じて、省電力状態からスタンバイ状態へ復帰する製品も存在する。しかし、このように省電力状態からスタンバイ状態へ復帰する要因を増やすと、省電力状態時に電力を用いて動作するセンサ等の構成要素が多くなり、省電力状態時の消費電力が増加してしまう。例えば、紙の有無を検出する機構にはフォトセンサが使われることが多く、検知動作のために電力が消費される。近年、消費電力に対する要求が厳しくなっているため、ユーザビリティの維持と消費電力の低減を両立させることが望まれる。
【０００６】
本発明は、ユーザビリティを維持しながら消費電力を抑えることを目的とする。
【課題を解決するための手段】
【０００７】
上記目的を達成するために本発明は、用紙に画像形成を行う画像形成手段と、通電状態において、特定の事象を検知する第１の検知手段と、通電状態において、前記特定の事象は別の特定の事象を検知する第２の検知手段と、前記画像形成手段による画像形成に必要な所定の負荷への電力供給が可能な第１の電力状態よりも消費電力が少なく、前記所定の負荷への電力供給が不能な第２の電力状態において、前記第１の検知手段と前記第２の検知手段とを排他的に通電状態とし、前記第１の検知手段及び前記第２の検知手段のうち通電されている検知手段が、対応する特定の事象を検知すると、前記第１の電力状態へ移行させる制御手段と、を有することを特徴とする。
【発明の効果】
【０００８】
本発明によれば、ユーザビリティを維持しながら消費電力を抑えることができる。
【図面の簡単な説明】
【０００９】
【図１】画像形成装置の概略断面図である。
【図２】制御機構の電気的構成のブロック図である。
【図３】操作部を示す図である。
【図４】装置状態（電力状態）及び消費電力の一例を示す図である。
【図５】電力状態制御処理のフローチャートである。
【図６】人感センサモードとセンサ群の通電状態との関係を示す図である。
【図７】第１、第２変形例における、人感センサモードとセンサ群の通電状態との関係を示す図である。
【発明を実施するための形態】
【００１０】
以下、図面を参照して本発明の実施の形態を説明する。
【００１１】
図１は、本発明の一実施の形態に係る画像形成装置の概略断面図である。この画像形成装置１０００は、主に、ＡＤＦ（自動原稿送り装置）１００１、リーダ部１００２及びプリンタ部１００３を有する。ＡＤＦ１００１は原稿を自動的に給送する。リーダ部１００２はＡＤＦ１００１により給送された原稿の画像を読み取る。プリンタ部１００３は記録紙（用紙）に画像を形成する。
【００１２】
ＡＤＦ１００１は、原稿が載置される原稿トレイ１１１を有し、原稿トレイ１１１には１枚以上の原稿からなる原稿束Ｓ０が載置可能である。ＡＤＦ１００１は、原稿検知センサである第１センサ２２１を有し、第１センサ２２１は原稿トレイ１１１上の原稿の有無を検知する。ＡＤＦ１００１は、原稿トレイ１１１に載置された原稿を読取位置へ搬送する原稿搬送手段である。まず、ＡＤＦ１００１で給紙動作が開始されると、原稿は原稿面に押し付けられた給紙ローラ（不図示）によってＡＤＦ１００１の内部方向に寄せられ、分離パッド１１２と分離ローラ１１３とによって最上面の原稿だけが搬送路上に給紙される。給紙された原稿は、レジストローラ１１４の駆動により大ローラ１１５及び第１搬送ローラ１１６へ送られ、さらに大ローラ１１５及び第１搬送ローラ１１６によってリーダ部１００２の読取ガラス１２１上に送られる。リーダ部１００２は読取ガラス１２１上を搬送される原稿の画像を読み取る。
【００１３】
リーダ部１００２は、原稿の表面画像を光学的に読み取って光電変換した画像信号を後段に出力する。リーダ部１００２は原稿を搬送しながら画像を読み取る以外に、プラテンガラス１２２上の所定位置に載置された原稿を読み取ることもできる。ＡＤＦ１００１はプラテンガラス１２２に対して開閉自在であり、リーダ部１００２がプラテンガラス１２２上の原稿を読み取る際に、ＡＤＦ１００１はプラテンガラス１２２に載置された原稿を押圧する圧板として機能する。リーダ部１００２は、圧板開閉検知センサである第２センサ２２２を有し、ＡＤＦ１００１の開閉状態を検知することができる。尚、ＡＤＦ１００１が設けられていない場合は、原稿圧板が設けられ、第２センサ２２２が原稿圧板の開閉を検知する。
【００１４】
プリンタ部１００３は、イエロー（Ｙ）、マゼンダ（Ｍ）、シアン（Ｃ）、ブラック（Ｋ）の４色の画像を形成するための画像形成手段として４つの画像形成部Ｐ（Ｐａ、Ｐｂ、Ｐｃ、Ｐｄ）を有する。画像形成部Ｐａ、Ｐｂ、Ｐｃ、Ｐｄは中間転写ベルト７の搬送方向に並んで配置される。プリンタ部１００３には、プリンタ部１００３に着脱可能なトナーボトルＴａ、Ｔｂ、Ｔｃ、Ｔｄが装着される。トナーボトルＴａ、Ｔｂ、Ｔｃ、Ｔｄにはそれぞれ、イエロー、マゼンタ、シアン、ブラックのトナーが収容されている。各画像形成部Ｐの構成要素は共通であるので、以降、画像形成部Ｐごとに各構成要素を区別しないときは同じ符号を用い、区別するときは符号の後にａ、ｂ、ｃ、ｄを付す。画像形成部Ｐの構成について、代表して画像形成部Ｐａについて説明する。
【００１５】
画像形成部Ｐａは、感光体として機能する感光層を備えた感光ドラム１ａを有する。画像形成部Ｐａは、感光ドラム１ａを帯電させる帯電器２ａと、トナーを収容した現像器１００ａとを有する。感光ドラム１ａは図１の矢印Ａ方向（時計方向）に回転する。感光ドラム１ａが帯電器２ａによって帯電された後、レーザ露光装置３ａがイエローの色成分画像データに基づき感光ドラム１ａを露光する。これにより、感光ドラム１ａ上にイエローの静電潜像が形成される。現像器１００ａが感光ドラム１ａ上の静電潜像を、トナーを用いて現像することで、感光ドラム１ａ上にトナー像が形成される。現像器１００ａは、現像器１００ａ内のトナーの量を検知する不図示のトナー量センサを備える。現像器１００ａ内のトナーの量が減少したことをトナー量センサが検知すると、トナーボトルＴａから現像器１００ａにトナーが供給される。
【００１６】
画像形成部Ｐａは、感光ドラム１ａ上のトナー像を中間転写ベルト７に転写する一次転写ローラ４ａを備える。感光ドラム１ａと中間転写ベルト７とが一次転写ローラ４ａに押圧されている一次転写ニップ部Ｔ１を、感光ドラム１ａ上に形成されたトナー像が通過している間、一次転写ローラ４ａには転写電圧が印加される。これによって、感光ドラム１ａ上のトナー像が中間転写ベルト７に転写される。画像形成部Ｐａは感光ドラム１ａ上に残留したトナーを除去するドラムクリーナ６ａも有している。
【００１７】
中間転写ベルト７は、二次転写対向ローラ８、従動ローラ１７、第１テンションローラ１８、及び第２テンションローラ１９に掛け回されている。中間転写ベルト７は、二次転写対向ローラ８の回転駆動によって矢印Ｂ方向に回転する。従って、中間転写ベルト７上のトナー像は矢印Ｂ方向に搬送される。中間転写ベルト７を基準にして二次転写対向ローラ８の反対側には二次転写ローラ９が配設されている。二次転写対向ローラ８に転写電圧が印加されることに応じて、二次転写対向ローラ８と中間転写ベルト７とが二次転写ローラ９に押圧されている二次転写ニップ部Ｔ２において、中間転写ベルト７上のトナー像が記録材Ｓに転写される。ベルトクリーナ１１は、中間転写ベルト７上に残留したトナーを除去する。
【００１８】
記録材Ｓはカセット６０に格納されている。カセット６０に収容された記録材Ｓを給紙ローラ（不図示）が給紙し、給紙された記録材Ｓを搬送ローラ対６１がレジストレーションローラ対６２に向けて搬送する。また、記録材Ｓは手差しトレイ６３に積載されることもある。手差しトレイ６３は、手差しトレイ紙検知センサである第３センサ２２３を有する。第３センサ２２３は、手差しトレイ６３に紙が置かれているか否かを検知する。手差しトレイ６３から手差し給紙ローラ（不図示）によって給紙された記録材Ｓを手差し搬送ローラ対６４がレジストレーションローラ対６２に向けて搬送する。記録材Ｓは、レジストレーションローラ対６２に搬送された後、中間転写ベルト７上のトナー像と接触するように搬送される。二次転写ローラ９によりトナー像が記録材Ｓに転写された後、記録材Ｓは定着器６５に搬送される。定着器６５によってトナー像が定着された記録材Ｓは排紙ローラ対６６によりプリンタ部１００３の排紙トレイ２３０へ排紙される。
【００１９】
また、画像形成装置１０００は人感センサ２２５を有する。人感センサ２２５は、装置周辺の人（ユーザ）の存在を検知することができる。人感センサ２２５は、赤外光等を用いた光学的な構成とするがそれに限定されず、装置の振動や装置への接触を検知する構成でもよい。ユーザは電源スイッチ４０１によって装置全体の電源オン／オフを切り替えることができる。プリンタ部１００３は、操作部２２６を有する。
【００２０】
図２は、画像形成装置１０００を制御する制御機構の電気的構成のブロック図である。この制御機構として、画像形成装置１０００は制御基板２１０を有する。制御基板２１０は、ＤＣ/ＤＣコンバータ２１１、第１制御部２１２、ＤＣ/ＤＣコンバータ２３１、第２制御部２３２のほか通電制御器２１３、２１４、２１５を含む。画像形成装置１０００は、いずれも商用電源２０１と接続された第１電源２０２及び第２電源２０３を有する。第１電源２０２は、商用電源２０１が接続されている場合に常にＤＣ電圧を出力する。第２電源２０３の電圧出力の起動・停止が可能な電源である。例えば、第２電源２０３は、画像形成装置１０００がプリント動作を行っていない省電力状態などのタイミングで省電力を目的としてＤＣ電圧の出力を停止する。第１制御部２１２は、操作部２２６や不図示の通信インターフェースを介したネットワークからの要求を受けて、第２電源２０３の起動・停止を制御する。第２電源２０３には、プリント動作（画像形成）に必要なアクチュエータやセンサ等の所定の負荷（これらを負荷２３３と呼称する）が接続される。第１制御部２１２は、ＣＰＵ、ＲＡＭ、ＤＲＡＭ、ＲＯＭ、タイマ等を備える（いずれも図示せず）。ＲＯＭには、ＣＰＵが実行するプログラムが格納され、ＲＡＭは、ＣＰＵがプログラムを実行する際のワークエリアとして利用される。第１制御部２１２は、制御基板２１０上の各部を制御し、例えば通電制御器２１３、２１４、２１５の各々のオン（導通）とオフ（遮断）とを切り替え制御する。
【００２１】
ところで、第１センサ２２１、第２センサ２２２及び第３センサ２２３をセンサ群２２０と総称する。これらはいずれもフォトセンサで構成されるとするが、電力が供給されて動作する構成であれば他の構成でもよい。第１センサ２２１は、原稿トレイ１１１に原稿が載置されたことを検知するとその出力が変化し、第３センサ２２３は、手差しトレイ６３に記録材Ｓが載置されたことを検知するとその出力が変化する。第２センサ２２２は、圧板であるＡＤＦ１００１の開または閉の操作があったことを検知するとその出力が変化する。人感センサ２２５は、画像形成装置１０００の周辺に人が存在すること（特定の事象）を検知するとその出力が変化する「第１の検知手段」である。ユーザが画像形成装置に近づくということは、これから画像形成が行われる可能性があるということである。一方、原稿トレイ１１１または手差しトレイ６３への紙の載置や、ＡＤＦ１００１の開閉操作は、通常、画像形成を行う前のユーザの操作である。従ってこれらの操作は、画像形成が行われる可能性があることを示す操作でもある。センサ群２２０は、これらの事象を上記特定の事象とは異なる「別の特定の事象」として検知するとその出力が変化する「第２の検知手段」である。ただし、人感センサ２２５、センサ群２２０の出力が変化するのは、電気的な接続状態として通電状態であることが前提となる。なお、人感センサ２２５により検知される特定の事象、センサ群２２０により検知される別の特定の事象は例示したものに限定されない。人感センサ２２５とセンサ群２２０とは検知対象が人であるか画像形成装置に対するユーザの操作であるかの違いがあり、その意味で種類が異なる。
【００２２】
詳細は図４で後述するが、画像形成装置１０００の電力状態として、第１の電力状態であるスタンバイ状態と、第１の電力状態よりも消費電力が少ない第２の電力状態であるスリープ状態（省電力状態）とがある。スリープ状態には、第１スリープ状態と、第１スリープ状態より消費電力が少ない第２スリープ状態とがある。スリープ状態は、第２電源２０３の電圧出力が停止され、負荷２３３への電力供給が不能であり、画像形成を開始できない状態である。スタンバイ状態は、第２電源２０３の電圧出力が起動され、負荷２３３への電力供給が可能であり、画像形成を開始できる状態である。
【００２３】
画像形成装置１０００は、第１電源２０２の出力をＤＣ／ＤＣコンバータ２１１で降圧し、第１制御部２１２、人感センサ２２５及びセンサ群２２０の電源として使用する。例えば第１電源２０２の出力が１２Ｖであり、第１制御部２１２を３．３Ｖで起動する場合は、前述のようにＤＣ／ＤＣコンバータ２１１などで第１電源２０２の出力電圧を降圧する必要がある。なお、仮に、第１電源２０２の出力が３．３Ｖなどであって、ＣＰＵ電源として使用可能な電圧で構成する場合、ＤＣ/ＤＣコンバータ２１１は不要である。
【００２４】
ＤＣ／ＤＣコンバータの有無に関わらず、人感センサ２２５は通電制御器２１３を介して第１電源２０２を電力供給源とし、センサ群２２０は通電制御器２１３とは別の通電制御器２１４を介して第１電源２０２を電力供給源としている。通電制御器２１３と通電制御器２１４とは、独立してオン／オフに切り替え可能である。これら通電制御器２１３、２１４を有することで、第１制御部２１２は、人感センサ２２５とセンサ群２２０とを排他的に通電状態にすることが可能である。なお、第１制御部２１２は、スタンバイ状態においてはセンサ群２２０を常に通電状態とする。
【００２５】
人感センサ２２５、センサ群２２０の電力供給源はいずれも第１電源２０２であるため、スリープ状態からスタンバイ状態への「復帰要因」として人感センサ２２５及びセンサ群２２０を利用可能である。第１制御部２１２は、スリープ状態において通電制御器２１３がオフであれば通電制御器２１４がオンとなるように制御し、通電制御器２１３がオンであれば通電制御器２１４がオフとなるよう制御する。第１制御部２１２は、スリープ状態において復帰要因が生じるとスタンバイ状態へ移行（復帰）する。ここでいう復帰要因には、人感センサ２２５がオフからオンに変化したこと（人の存在を検知したこと）が含まれる。復帰要因にはまた、第１センサ２２１の出力がオフからオンに変化したこと（原稿トレイ１１１への原稿載置を検知したこと）が含まれる。復帰要因にはまた、第３センサ２２３の出力がオフからオンに変化したこと（手差しトレイ６３への記録材Ｓの載置を検知したこと）が含まれる。復帰要因にはまた、第２センサ２２２の出力が変化したこと（ＡＤＦ１００１の開または閉の操作を検知したこと）が含まれる。
【００２６】
なお、各センサの出力がどのように変化した場合を復帰要因とするかは、例示した態様に限定されない。また、第１センサ２２１、第３センサ２２３については、オフからオンへの変化だけでなく、オンからオフへの変化も復帰要因に含めてもよい。なお、第２センサ２２２については、オフからオンへの変化（開操作）のみを復帰要因としてもよい。
【００２７】
操作部２２６は通電制御器２１５を介して第１電源２０２を電力供給源としている。第１制御部２１２は、スリープ状態では通電制御器２１５がオフとなり、スタンバイ状態では通電制御器２１５がオンとなるよう制御する。なお、操作部２２６の電力供給源を第２電源２０３とすることも可能である。しかし、第２電源２０３は出力がオフの状態から安定して電圧を出力できるようになるまでに数１００ｍｓｅｃ程度要する。そこで、スリープ状態からスタンバイ状態へ移行したときに操作部２２６へ通電されるまでの時間を極力短縮すべく、第１電源２０２が電力供給源とされている。第２制御部２３２は、第２電源２０３の出力をＤＣ／ＤＣコンバータ２３１で降圧したものを電源として使用している。第２制御部２３２は第１制御部２１２と通信しながら負荷２３３を制御する。スリープ状態において第２電源２０３は出力が停止されるよう第１制御部２１２によって制御される。
【００２８】
図３は、操作部２２６を示す図である。操作部２２６はタッチパネル式の表示部２２７と、複数の入力ボタンを含む入力部２２８とを有する。図３では表示部２２７における表示画面の一例が示されている。本実施の形態では、ユーザは、人感センサモードの設定として、人感センサ２２５の機能を有効にするか無効するか（有効／無効）を切り替えることができる。人感センサモードの有効／無効が、人感センサ２２５の有効（通電状態）／無効（非通電状態）に対応する。例えば画像形成装置１０００がオフィス中の人通りの多い場所や作業中の人の近くに置かれる場合、人感センサモードが有効だと不要なタイミングで人の存在を検知してしまい、装置状態が不要に切り替わって煩わしい場合がある。このような事態を避けるために、ユーザの所望により人感センサモードを無効に設定できるようにしている。人感センサモードは、人感センサ２２５の検知に応じてスタンバイ状態へ移行させる第１の機能に該当する。
【００２９】
入力部２２８はユーザからの各種操作を受け付ける。ユーザが環境設定を行うための操作をすると、表示部２２７には図３に示す設定画面が表示され、設定欄２２９にて、人感センサ２２５の使用をオン（ＯＮ）またはオフ（ＯＦＦ）に切り替えできる。操作部２２６を介して受け付けた情報は第１制御部２１２に通知され、その設定内容が、第１制御部２１２が有する不揮発メモリ（不図示）に保存される。第１制御部２１２に保存された人感センサモードの有効／無効の設定情報は装置電源が切られても消えず、操作部２２６を介してユーザによって設定が変更されるまで維持される。
【００３０】
図４は、画像形成装置１０００における装置状態（主に電力状態）及び消費電力の一例を示す図である。電力状態の遷移を矢印で示している。上述のように、画像形成装置１０００は、印刷ジョブの処理を含む情報処理が実行可能なスタンバイ状態Ｓ３０２と、スタンバイ状態Ｓ３０２よりも消費電力が小さいスリープ状態とを有する。複数のスリープ状態として、第１スリープ状態Ｓ３０３と第２スリープ状態Ｓ３０４とがある。動作中状態Ｓ３０１は、画像形成装置１０００が受け付けたジョブに従って動作している状態である。ジョブによって動作するデバイスが異なるので、動作中状態Ｓ３０１における消費電力を一様に表すことができないが、ここでは便宜上、消費電力を１５００Ｗ未満としている。
【００３１】
動作中状態Ｓ３０１へはスタンバイ状態Ｓ３０２のみから遷移し得る。スタンバイ状態Ｓ３０２はジョブの待ち受けをしている状態であって、デバイスによって消費電力が異なるので、便宜上、消費電力を１５０Ｗ未満としている。スタンバイ状態Ｓ３０２へは、動作中状態Ｓ３０１、第１スリープ状態Ｓ３０３、第２スリープ状態Ｓ３０４または電源オフ状態Ｓ３０５から遷移し得る。第１スリープ状態Ｓ３０３は、ジョブの受け付けは可能であるが、スタンバイ状態Ｓ３０２への復帰までに時間を要する状態である。画像形成装置１０００は、第１スリープ状態Ｓ３０３では、ジョブ受付のために必要なデバイス以外のデバイスに対する通電を遮断することで、１Ｗ未満の低消費電力を実現している。第１スリープ状態Ｓ３０３へはスタンバイ状態Ｓ３０２から遷移し得る。
【００３２】
第２スリープ状態Ｓ３０４は、画像形成装置１０００の高速起動のために一部のデバイスのみに通電している状態である。この第２スリープ状態Ｓ３０４では、第１スリープ状態Ｓ３０３よりも更に少ない部品のみに通電が行われる。例えばＤＲＡＭなどの揮発性のメモリに通電され、ＤＲＡＭは第１制御部２１２で実行されるソフトウェア（プログラム）を保持する。これにより画像形成装置１０００は、電源オフ状態Ｓ３０５に比べれば、ソフトウェアの初期化に要する時間を短縮して、高速で起動することができるが、第１スリープ状態Ｓ３０３に比べると時間がかかる。第２スリープ状態Ｓ３０４においては、ジョブ受付を行うデバイスに対する通電が遮断される点が、第１スリープ状態Ｓ３０３とは相違する。
【００３３】
電源オフ状態Ｓ３０５は、電源スイッチ４０１がオフにされ、画像形成装置１０００の全てのデバイスに対する通電が遮断された状態である。第１スリープ状態Ｓ３０３や第２スリープ状態Ｓ３０４で電源がオフにされた場合、スタンバイ状態Ｓ３０２を経由して電源オフ状態Ｓ３０５へ遷移する場合と、直接に電源オフ状態Ｓ３０５へ遷移する場合とがある。例えば定着器６５はヒートローラと加圧ローラによって定着ニップを形成している。電源オフ状態Ｓ３０５では定着器６５が長期間放置される可能性があるので、ローラ変形防止のために定着ニップが離間していることが望ましい。そのため、画像形成装置１０００は、第１スリープ状態Ｓ３０３や第２スリープ状態Ｓ３０４で定着ニップが圧接されている場合、一旦、スタンバイ状態Ｓ３０２に遷移して定着ニップを離間させた後で電源オフ状態Ｓ３０５へ遷移するようにしている。
【００３４】
図５は、電力状態制御処理のフローチャートである。この処理は、第１制御部２１２が備えるＲＯＭに格納されたプログラムをＣＰＵが読み出して実行することにより実現される。図６は、装置状態別の、人感センサモードとセンサ群２２０の通電状態との関係を示す図である。なお、人感センサ２２５以外で、状態遷移のトリガとなる光学センサとしてセンサ群２２０の全て（３つ）を対象とする。しかし、第１センサ２２１、第２センサ２２２、第３センサ２２３の少なくとも１つを対象（センサ群）としてもよい。
【００３５】
第１スリープ状態Ｓ３０３と第２スリープ状態Ｓ３０４とで、センサ群２２０の通電状態は共通であるので、図５の説明においては、代表してスリープ状態は第１スリープ状態Ｓ３０３であるとして説明する。なお、スリープ状態が第２スリープ状態Ｓ３０４であるとしてもよい。また、センサ群２２０の通電に関する状態は、動作中状態Ｓ３０１とスタンバイ状態Ｓ３０２とで共通であり、いずれにおいても通電状態とされる（図６参照）。動作中状態Ｓ３０１へはスタンバイ状態Ｓ３０２からのみ移行する。そのため、図５では動作中状態Ｓ３０１への状態遷移に関する処理の図示を省略している。
【００３６】
まず、第１制御部２１２は、電源スイッチ４０１がオン（装置電源がオン）であるか否かを判別し（ステップＳ１０１）、電源スイッチ４０１がオフであれば、シャットダウン処理を経て図５の処理を終了し、画像形成装置１０００の動作は停止する。電源スイッチ４０１がオンであれば、第１制御部２１２は、装置状態（電力状態）がスリープ状態であるか否かを判別する（ステップＳ１０２）。そして、装置状態がスリープ状態である場合は、第１制御部２１２は、上述した不揮発メモリに保存された設定情報を参照することで、人感センサモードが有効となっているか否かを判別する（ステップＳ１０３）。そして第１制御部２１２は、人感センサモードが有効の場合はセンサ群２２０の全てを非通電状態とする一方（ステップＳ１０４）、人感センサモードが無効の場合はセンサ群２２０の全てを通電状態とする（ステップＳ１０７）（図６参照）。なお、人感センサモードが無効になっているときは、人感センサ２２５は非通電状態となっている。これにより、スリープ状態においては、人感センサ２２５とセンサ群２２０とが排他的に通電状態とされる。
【００３７】
ステップＳ１０４の後、第１制御部２１２は、人感センサ２２５によって人が検知されたか否かを判別する（ステップＳ１０５）。すなわちここでは、復帰要因の発生が人感センサ２２５により検知されたか否かが判別される。そして第１制御部２１２は、人が検知された場合は装置状態をスタンバイ状態へと移行し（ステップＳ１０６）、処理をステップＳ１０１に戻す。一方、第１制御部２１２は、人が検知されない場合は処理をステップＳ１０１に戻す。ステップＳ１０７の後、第１制御部２１２は、センサ群２２０のうち少なくとも１つ（センサ２２１、２２２、２２３の少なくともいずれか）の出力が変化したか否かを判別する（ステップＳ１０８）。すなわちここでは、復帰要因の発生がセンサ群２２０により検知されたか否かが判別される。そして第１制御部２１２は、センサ群２２０のうち少なくとも１つの出力が変化した場合は、装置状態をスタンバイ状態へと移行し（ステップＳ１０９）、処理をステップＳ１０１に戻す。一方、第１制御部２１２は、センサ群２２０のうちいずれのセンサの出力も変化しない場合は処理をステップＳ１０１に戻す。
【００３８】
通常、ユーザが原稿をセットする場合は画像形成装置１０００の前に立つことで、原稿のセットよりも前に人感センサ２２５が反応し、装置状態がスタンバイへ移行する。従って、スリープ状態時で人感センサモードが有効のときは、センサ群２２０が非通電状態であってもユーザビリティが損なわれない。一方、スリープ状態時で人感センサモードが無効のときは、通電状態とされたセンサ群２２０が働き、ユーザが原稿や記録紙を置くなどをすると装置状態がスタンバイへ移行することでユーザビリティが確保される。
【００３９】
ステップＳ１０２で、装置状態がスリープ状態でない場合は、スタンバイ状態であるので、第１制御部２１２は、人感センサモードが有効となっているか否かを判別する（ステップＳ１１０）。そして第１制御部２１２は、人感センサモードが有効の場合はセンサ群２２０の全てを通電状態とする（ステップＳ１１１）。人感センサモードが無効の場合も、第１制御部２１２はセンサ群２２０の全てを通電状態とする（ステップＳ１１４）。これにより、スタンバイ状態においては人感センサモードの有効／無効に拘わらず（人感センサ２２５の通電・非通電の状態に拘わらず）、センサ群２２０の全てが通電状態とされる（図６参照）。
【００４０】
ステップＳ１１１の後、第１制御部２１２は、「人感センサ２２５によって人が検知されず且つ、センサ群２２０のうちいずれのセンサの出力も変化しない状態が、所定時間継続する」という条件が成立するか否かを判別する（ステップＳ１１２）。この条件が成立する場合は、第１制御部２１２は、装置状態をスリープ状態へ移行して（ステップＳ１１３）、処理をステップＳ１０１に戻す一方、上記条件が成立しない場合は処理をステップＳ１０１に戻す。ここで、所定時間の値はデフォルトで決定されていると共に、ユーザが任意に設定可能でもあり、とり得る値に限定はない。
【００４１】
ステップＳ１１４の後、第１制御部２１２は、「センサ群２２０のうちいずれのセンサの出力も変化しない状態が所定時間継続する」という条件が成立するか否かを判別する（ステップＳ１１５）。そして、この条件が成立する場合は、第１制御部２１２は、装置状態をスリープ状態へ移行して（ステップＳ１１６）、処理をステップＳ１０１に戻す一方、上記条件が成立しない場合は処理をステップＳ１０１に戻す。ここで、所定時間の値はデフォルトで決定されていると共に、ユーザが任意に設定可能でもあり、とり得る値に限定はなく、ステップＳ１１２で用いる値と同じでも異なってもよい。
【００４２】
図５の処理によれば、スタンバイ状態時には、人感センサ２２５及びセンサ群２２０のうち通電されているセンサの全ての出力が所定時間継続して変化しないと装置状態がスリープ状態へ移行する。また、スリープ状態時には、人感センサ２２５及びセンサ群２２０のうち通電されているセンサの少なくとも１つの出力が変化すると装置状態がスタンバイ状態へ復帰する。
【００４３】
なお、２つのスリープ状態間の遷移を考慮する場合は、次のように構成してもよい。まず、スタンバイ状態からスリープ状態へ移行する場合は、装置状態は常に第１スリープ状態へ移行するとする。そして、第１スリープ状態時に、ステップＳ１１２またはステップＳ１１６と同様の条件が成立すると装置状態が第２スリープ状態へ移行する。また、第１または第２スリープ状態時に、人感センサモードが有効で人が検知されると装置状態がスタンバイ状態へ復帰し、人感センサモードが無効でセンサ群２２０の出力が変化すると装置状態がスタンバイ状態へと復帰する。
【００４４】
本実施の形態によれば、スタンバイ状態よりも消費電力が少ないスリープ状態において、人感センサ２２５とセンサ群２２０とが排他的に通電状態とされる。これにより、人感センサ２２５とセンサ群２２０の双方を通電状態にするのに比べて、消費電力が低減される。特に、スリープ状態において、人感センサ２２５またはセンサ群２２０のうち通電されているものによって、対応する特定の事象、すなわち復帰要因の発生が検知されると、装置状態がスタンバイ状態へと移行する。これにより、ユーザが画像形成装置１０００の前で待つ時間を減らすことができる。よって、ユーザビリティを維持しながら消費電力を抑えることができる。
【００４５】
また、スタンバイ状態においては人感センサ２２５とセンサ群２２０の双方が通電状態となるので、ユーザビリティが低下することがない。また、人感センサモードの有効／無効をユーザが設定できるので、スリープ状態においては上記有効／無効に応じてセンサ群２２０の通電・非通電の状態が制御される。これにより、ユーザはセンサ群２２０の通電に関する煩雑な操作を要しない。
【００４６】
なお、現在の人感センサモードの設定状態、及び、センサ群２２０の通電状態を、操作部２２６等を用いて表示することでユーザに報知してもよい。また、人感センサモードを設定する際、人感センサモードを有効／無効にすると、それらに対応して、スリープ状態においてセンサ群２２０が非通電／通電となる旨を、操作部２２６等を用いて報知してもよい。
【００４７】
なお、これまでの説明では、人感センサ２２５とセンサ群２２０とが排他的に通電状態とされる第２の電力状態には、第１スリープ状態及び第２スリープ状態のいずれも該当し得た。しかし、第１スリープ状態または第２スリープ状態のいずれかが第２の電力状態に該当する構成としてもよい。これに関する例を、図７を用いて変形例として説明する。
【００４８】
図７（ａ）、（ｂ）はそれぞれ、第１、第２変形例における、スリープ状態別の、人感センサモードとセンサ群２２０の通電状態との関係を示す図である。なお、第１、第２変形例において、スタンバイ状態でのセンサ群２２０の通電状態は図６で示した例と同様であるので図示を省略する。
【００４９】
まず、第１変形例（図７（ａ））では、第１スリープ状態におけるセンサ群２２０の通電状態は、図６で示した例と同様である。しかし、第２スリープ状態においては、人感センサモードの有効／無効に拘わらず、センサ群２２０の全てが非通電状態とされる。この場合、人感センサ２２５とセンサ群２２０とが排他的に通電状態とされる第２の電力状態には、第１スリープ状態が該当する。
【００５０】
第２変形例（図７（ｂ））では、第２スリープ状態におけるセンサ群２２０の通電状態は、図６で示した例と同様である。しかし、第１スリープ状態においては、人感センサモードの有効／無効に拘わらず、センサ群２２０の全てが通電状態とされる。この場合、人感センサ２２５とセンサ群２２０とが排他的に通電状態とされる第２の電力状態には、第２スリープ状態が該当する。
【００５１】
第１、第２変形例のいずれにおいても、スタンバイ状態からスリープ状態へ移行する場合は、装置状態は常に第１スリープ状態へ移行するとする。そして、第１スリープ状態時には、人感センサ２２５及びセンサ群２２０のうち通電されているセンサの全ての出力が所定時間継続して変化しないと装置状態が第２スリープ状態へ移行する。また、第１または第２スリープ状態時には、人感センサ２２５及びセンサ群２２０のうち通電されているセンサの少なくとも１つの出力が変化すると装置状態がスタンバイ状態へ復帰する。
【００５２】
なお、第１の検知手段として人感センサ２２５を例示したが、これに限定されず、第１の検知手段に含まれるセンサも１つに限定されない。また、第２の検知手段としてセンサ群２２０を例示し、センサ群２２０にはセンサ２２１〜２２３の３つが含まれるとしたが、これらに限定されない。第２の検知手段に含まれるセンサの数は１つでもよいし４以上でもよい。なお、第１の検知手段と第２の検知手段との区分けに限定はなく、いずれのセンサをどちらの検知手段に含めるかは任意に設計変更可能である。
【００５３】
なお、スリープ状態（省電力状態）として第１、第２スリープ状態の２つを例示したが、スリープ状態は１つ以上であればよく、３以上でもよい。
【００５４】
また、人感センサ２２５の有効／無効の設定に応じて、センサ群２２０の通電・非通電の状態が決定されるとしたが、この関係を逆にしてもよい。すなわち、ユーザによるセンサ群２２０の通電・非通電の状態を設定可能にし、その設定に応じて、人感センサ２２５の有効／無効が設定される構成としてもよい。
【００５５】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００５６】
２１２  第１制御部
２２１  第１センサ
２２２  第２センサ
２２３  第３センサ
２２５  人感センサ
【図１】
2019005936.tif 000003
【図２】
2019005936.tif 000004
【図３】
2019005936.tif 000005
【図４】
2019005936.tif 000006
【図５】
2019005936.tif 000007
【図６】
2019005936.tif 000008
【図７】
2019005936.tif 000009